(57)【要約】      （修正有）【課題】取付面に接着成分が付着することなく何度でも繰り返して貼り付け及び剥離が可能なシート収納用透明ファイルを提供する。【解決手段】ファイル本体１の支承部１ａに表示シートＢが支えられた状態で、ファイル本体１の背面部１ｂに形成される接着層２の接着面２ａを取付面Ｃに貼り付けることにより、接着面２ａの微細な凹凸が取付面Ｃの微細な凹凸を埋めて両者が静電気的に結合する。そのため取付面Ｃに対してファイル本体１の支承部１ａがファンデルワールス力で分散接着され、支承部１ａで表示シートＢが所定位置に位置決めされる。さらに、接着面２ａや取付面Ｃの微細な凹凸に微細な異物が付着して接着力が低下しても、洗浄で異物を除去することにより、接着力が回復して繰り返し接着可能である。【選択図】図１
0003193557.tif 000002
【実用新案登録請求の範囲】
【請求項１】
表示シートを支えて取付面に貼り付けられるシート収納用透明ファイルであって、
前記表示シートが着脱自在に支えられる支承部を有するファイル本体と、
前記ファイル本体において前記取付面と対向する背面部に形成される接着層と、を備え、
前記接着層は、前記取付面に対してファンデルワールス力で分散接着する接着面を有することを特徴とするシート収納用透明ファイル。
【請求項２】
前記接着層の前記接着面は、前記ファイル本体の前記背面部において前記表示シートの表示部の全体を覆う面状に積層形成されることを特徴とする請求項１記載のシート収納用透明ファイル。
【請求項３】
前記表示シートの裏側表示部と対向する前記ファイル本体の前記背面部を、前記裏側表示部が透き通るように透明材料で形成し、透明な材料からなる前記取付面と対向する前記接着層を、前記裏側表示部が透き通るように透明材料で形成することを特徴とする請求項２記載のシート収納用透明ファイル。
【考案の詳細な説明】
【技術分野】
【０００１】
本考案は、印刷や手書きの表示部を有する表示シートを、透明又は不透明な取付面に対して着脱可能に貼り付けるために用いられる、シート収納用透明ファイルに関する。
【背景技術】
【０００２】
従来、この種のシート収納用透明ファイルとして、透明ビニール等の透明なシートを貼り合わせて、一部に開口部をもうけたファイルであって、該ファイルにポスターやチラシ等の印刷物を収納して、ガラス窓やガラスドア等の透明な対象物の屋内側面に対し、接着部材により貼り付けるようにした印刷物収納ファイルがある（例えば、特許文献１参照）。
前記ファイルは、その外縁部に前記接着部材として両面テープ等が貼り付けられることにより、ポスターやチラシ等の印刷物を、ガラス窓やガラスドア等の透明な対象物の屋内側面において容易に交換できるようにしている。
前記接着部材としては、両面テープの他に接着剤等が考えられ、前記ファイルの素材によっては吸盤によりカラス窓等に接着される。
【先行技術文献】
【特許文献】
【０００３】
【特許文献１】登録実用新案第３１５８５４２号公報
【考案の概要】
【考案が解決しようとする課題】
【０００４】
ところで、印刷物収納ファイルに対してポスターやチラシ等の印刷物を屋内側面において容易に交換できるようにしても、例えば印刷物が不要になった場合やファイルごと取り外した方が印刷物の交換が簡単な場合など、ガラス窓やガラスドア等の対象物からファイル自体を剥がすこともある。
しかし乍ら、従来の印刷物収納ファイルでは、ファイルが接着部材として両面テープや接着剤などにより貼り付けるため、両面テープや接着剤などの接着成分が経時劣化して対象物の表面にこびり付いてしまう。それにより、ファイルを剥がした後の対象物の表面を、貼り付け前の状態に戻すことが困難になって、美観を損なうという問題があった。
さらに、対象物に対してファイルの外縁部（一部）のみを接着部材（両面テープや接着剤や吸盤）で貼り付けられるため、接着部材が無いファイルの中央部と対象物の間には、接着に寄与しない空気層が発生する。それにより、接着力が不足してファイルごと落下するおそれがある。
また、通行人や来訪者に対する広告方法として、ポスターやチラシ等の印刷物をファイルに入れ、接着部材によりガラス窓やガラスドア等の透明な対象物の屋内側面に貼り付けることで、透明な対象物を透してファイル内の広告内容が屋外側から見られるようにした例がある。
しかし、このような広告方法を従来の印刷物収納ファイルで実現すると、接着部材が無いファイルの中央部と対象物の間に発生する空気層で光反射し、広告内容が見え難くなるという問題もあった。
【０００５】
本考案は、このような問題に対処することを課題とするものであり、取付面に接着成分が付着することなく何度でも繰り返して貼り付け及び剥離が可能なシート収納用透明ファイルを提供すること、などを目的とするものである。
【課題を解決するための手段】
【０００６】
このような目的を達成するために本考案は、表示シートを支えて取付面に貼り付けられるシート収納用透明ファイルであって、前記表示シートが着脱自在に支えられる支承部を有するファイル本体と、前記ファイル本体において前記取付面と対向する背面部に形成される接着層と、を備え、前記接着層は、前記取付面に対してファンデルワールス力で分散接着する接着面を有することを特徴とする。
【考案の効果】
【０００７】
前述した特徴を有する本考案は、ファイル本体の支承部に表示シートが支えられた状態で、ファイル本体の背面部に形成される接着層の接着面を取付面に貼り付けることにより、接着面の微細な凹凸が取付面の微細な凹凸を埋めて両者が静電気的に結合する。そのため取付面に対してファイル本体の支承部がファンデルワールス力で分散接着され、支承部で表示シートが所定位置に位置決めされる。さらに、接着面や取付面の微細な凹凸に微細な異物が付着して接着力が低下しても、洗浄で異物を除去することにより、接着力が回復して繰り返し接着可能である。
したがって、取付面に接着面の接着成分が付着することなく取付面に対し接着面を何度でも繰り返して貼り付け及び剥離をすることができる。
その結果、ファイルが接着部材として両面テープや接着剤などにより貼り付ける従来のものに比べ、接着面の接着成分が経時劣化して取付面にこびり付くことがなく、ファイル本体を剥がした後の取付面を、貼り付け前の状態に簡単に復帰させることが可能となり、美観を維持できる。
【図面の簡単な説明】
【０００８】
【図１】本考案の実施形態に係るシート収納用透明ファイルの全体構成を示す説明図であり、（ａ）が表示シートの正面図、（ｂ）がファイル本体の支承部に表示シートを支えた状態の正面図、（ｃ）が図１（ｂ）の縦断側面図である。
【図２】取付面側から透視した状態の一部切欠斜視図である。
【考案を実施するための形態】
【０００９】
以下、本考案の実施形態を図面に基づいて詳細に説明する。
本考案の実施形態に係るシート収納用透明ファイルＡは、図１（ａ）（ｂ）（ｃ）及び図２に示すように、印刷や手書きの表示シートＢを支え、透明又は不透明の取付面Ｃに対して着脱可能に貼り付けることにより、表示シートＢの表裏の表示部Ｂ１，Ｂ２の両方がそれぞれ透視可能か、又は表示部Ｂ１，Ｂ２のいずれか一方のみが透視可能な透明ケースや透明ホルダである。
詳しく説明すると、本考案の実施形態に係るシート収納用透明ファイルＡは、表示シートＢが着脱自在に支えられる支承部１ａを有するファイル本体１と、ファイル本体１において取付面Ｃと対向する背面部１ｂに形成される接着層２と、を主要な構成要素として備えている。
【００１０】
ファイル本体１は、透明又は着色料が添加された半透明の変形可能な軟質合成樹脂でシート状に形成され、後述する表示シートＢが出し入れ自在に支えられる支承部１ａと、表示シートＢの裏面が対向する背面部１ｂと、を有している。
ファイル本体１を構成する軟質合成樹脂の具体例としては、例えばオレフィン系樹脂(ポリオレフィン)、塩化ビニル樹脂(ポリ塩化ビニル)などの透明か、又は着色料が添加された半透明の変形可能な樹脂が用いられる。
【００１１】
支承部１ａは、ファイル本体１に対して後述する表示シートＢを落下不能に支持するための物入れや係止スペースなどであり、背面部１ｂとの間に表示シートＢの正面全体又は正面の一部を覆うように形成される。
支承部１ａ及び背面部１ｂの具体例としては、図１（ｂ）（ｃ）及び図２に示される場合、二枚の矩形シート１Ｓ，１Ｔを重ね合わせ、その三辺を加熱溶融又は接着剤などで、所定幅の固着部１ｃをコの字形に形成することにより、支承部１ａ及び背面部１ｂがそれぞれ一体的に形成されている。
詳しく説明すると、支承部１ａは、加熱溶融又は接着剤などで固着されない残りの一辺１ｄを開口し、二枚の矩形シート１Ｓ，１Ｔの間に表示シートＢの収納空間１Ｕが形成される物入れである。表側の矩形シート１Ｓで表示シートＢの正面全体を覆い、裏側の矩形シート１Ｔが背面部１ｂとなっている。
また、その他の例として図示しないが、矩形以外の形状に形成された二枚のシートを用いたり、互いに異なる形状に形成された二枚のシートを用いたり、支承部１ａとして表示シートＢの外縁部などを部分的に覆う形状に変更するなど、表示シートＢを着脱自在に支えられることが可能であれば、図示例以外の構造に変更することも可能である。
【００１２】
接着層２は、取付面Ｃに対してファンデルワールス力（分子間力）で分散接着する接着面２ａを有している。
すなわち、接着面２ａは、後述する取付面Ｃに存在する微細な凹凸とほぼ同じサイズで互いに嵌り合う微細な凹凸（図示しない）を有している。接着層２の接着面２ａを後述する取付面Ｃに沿って重ね合わせ所定圧力で加圧することにより、接着面２ａの微細な凹凸が取付面Ｃの微細な凹凸と隙間なく密着（吸着）して、微細な凹凸同士を静電気的に結合させるように構成されている。
【００１３】
ところで、後述する取付面Ｃから接着層２が剥離した状態では、接着面２ａの微細な凹凸か又は取付面Ｃの微細な凹凸のいずれか一方か若しくは両者に、例えば埃などの微細な異物が付着して微細な凹凸が詰まることが考えられる。
いずれか一方の微細な凹凸が詰まると、接着層２の接着面２ａを取付面Ｃに沿って重ね合わせて加圧しても、微細な凹凸同士の間に隙間が生じて静電気的に結合不能になり、ファンデルワールス力（分子間力）で分散接着させることが困難になって、取付面Ｃに対する接着面２ａの接着力が低下することもある。
このような場合には、埃などの微細な異物が付着た微細な凹凸を洗浄して、異物を除去することにより、接着力が回復して繰り返し接着させることが可能になる。
【００１４】
さらに、接着層２の接着面２ａは、ファイル本体１の背面部１ｂにおいて少なくとも後述する表示シートＢの裏側表示部Ｂ２の全体を覆う面状に積層形成され、ファイル本体１の背面部１ｂにおいて少なくとも表示シートＢの裏側表示部Ｂ２と対向する部位を、接着面２ａによって後述する取付面Ｃに対しファンデルワールス力（分子間力）で分散接着させることが好ましい。
接着層２の具体例としては、図１（ｂ）（ｃ）及び図２に示される場合、ファイル本体１の背面部１ｂの全体に接着剤２ｂを所定厚みで塗布し且つ硬化させることにより、ファイル本体１の背面部１ｂの全体に亘り接着面２ａが面状に積層形成されている。
接着層２を構成する接着剤としては、ポリウレタンなどのウレタン系接着剤やシリコーン系接着剤やアクリル系接着剤などの化学反応硬化型接着剤が用いられる。透明な接着剤を用いて、透明な接着層２及び接着面２ａを形成することが好ましい。
また、その他の例として図示しないが、ファイル本体１の背面部１ｂにおいて表示シートＢの裏側表示部Ｂ２の全体を覆うことが可能であれば、ファイル本体１の背面部１ｂの全体に代えて背面部１ｂの一部のみに接着面２ａを面状に積層形成したり、接着剤２ｂの塗布に代えてそれ以外の方法により接着面２ａを面状に積層形成したり変更することも可能である。
【００１５】
そして、表示シートＢは、ポスターやチラシなどの印刷物又は手書きのポップ広告カードなどからなり、そのサイズをファイル本体１の支承部１ａよりも小さく形成して、支承部１ａに対して出し入れ可能にしている。
表示シートＢの表裏両面か又はいずれか一方には、印刷や手書きの表示部Ｂ１，Ｂ２を有している。
表示シートＢの具体例としては、図１（ｂ）（ｃ）及び図２に示される場合、表示シートＢの表面には、表側表示部Ｂ１が形成され、表示シートＢの裏面には、裏側表示部Ｂ２が形成されている。図示例の場合には、表側表示部Ｂ１及び裏側表示部Ｂ２として文字や枠線を設けている。
また、その他の例として図示しないが、表示シートＢの表面のみに表側表示部Ｂ１を形成したり、表示シートＢの裏面のみに裏側表示部Ｂ２を形成したり、表側表示部Ｂ１及び裏側表示部Ｂ２として文字や枠線をマークや図形などに変更することも可能にしている。
【００１６】
取付面Ｃは、ファイル本体１の背面部１ｂが接着層２によって貼り付けられる平滑な壁面である。
取付面Ｃの具体例としては、ガラス窓やガラスドアなどの透明材料からなる透明な壁面や、壁紙の有無に関係なく不透明材料からなる不透明な壁面などが挙げられる。
【００１７】
このような本発明の実施形態に係るシート収納用透明ファイルＡによると、ファイル本体１の支承部１ａに表示シートＢが支えられた状態で、ファイル本体１の背面部１ｂに形成される接着層２の接着面２ａを取付面Ｃに貼り付ける。
それにより、接着層２の接着面２ａの微細な凹凸が取付面Ｃの微細な凹凸を埋めて両者が静電気的に結合し、両者間にファンデルワールス力が発生する。そのため取付面Ｃに対してファイル本体１の支承部１ａがファンデルワールス力（分子間力）で分散接着され、支承部１ａで表示シートＢが所定位置に位置決めされて移動不能に保持される。
さらに、接着層２の接着面２ａがファンデルワールス力による分散接着であるため、接着面２ａや取付面Ｃの微細な凹凸に微細な異物が付着して接着力が低下しても、洗浄で異物を除去することにより、接着力が回復して繰り返し接着可能である。
したがって、取付面Ｃに接着面２ａの接着成分が付着することなく取付面Ｃに対し接着面２ａを何度でも繰り返して貼り付け及び剥離をすることができる。
その結果、接着面２ａの接着成分が経時劣化して取付面Ｃにこびり付くことがなく、ファイル本体１を剥がした後の取付面Ｃを、貼り付け前の状態に簡単に復帰させることが可能となり、美観を維持できる。
【００１８】
特に、接着層２が、ファイル本体１の背面部１ｂにおいて表示シートＢの（裏側）表示部Ｂ２の全体を覆う面状に積層形成している。
この場合には、ファイル本体１の背面部１ｂにおいて少なくとも表示シートＢの（裏側）表示部Ｂ２と対向する部位が、接着面２ａによって取付面Ｃに対しファンデルワールス力（分子間力）で分散接着される。そのため、接着面２ａにおいて表示シートＢの（裏側）表示部Ｂ２の全体を覆う部位と取付面Ｃの間に空気層が発生せず面状に密着する。
したがって、接着層２による接着強度を向上させることができる。
その結果、対象物に対してファイルの外縁部（一部）のみを接着部材（両面テープや接着剤や吸盤）で貼り付けられる従来のものに比べ、長期に亘り取付面Ｃからのファイル本体１の落下事故を防いで安全性に優れる。
【実施例】
【００１９】
次に、本考案の一実施例を図面に基づいて説明する。
この実施例は、図１（ａ）（ｂ）（ｃ）及び図２に示すように、表示シートＢの裏側表示部Ｂ２と対向するファイル本体１の背面部１ｂを、裏側表示部Ｂ２が透き通るように透明材料で形成し、ガラスを含む透明な材料からなる取付面Ｃと対向する接着層２を、裏側表示部Ｂ２が透き通るように透明材料で形成したものである。
つまり、ガラス窓やガラスドアなどの透明な取付面Ｃに対し、裏側表示部Ｂ２を有する表示シートＢが支承部１ａに支えられたファイル本体１を接着層２の接着面２ａで貼り付けている。それにより、透明な取付面Ｃの外側から透明な接着層２及び透明な背面部１ｂを透過して、取付面Ｃの内側に貼り付けられた表示シートＢの裏側表示部Ｂ２が透視可能となるようにしている。
【００２０】
さらに、図１（ａ）（ｂ）（ｃ）及び図２に示される例では、表示シートＢの表側表示部Ｂ１と対向するファイル本体１の支承部１ａを、表側表示部Ｂ１が透き通るように透明材料で形成している。
つまり、表側表示部Ｂ１と裏側表示部Ｂ２を表裏両面に有する表示シートＢが支承部１ａで支えられ、透明な支承部１ａを透過して表示シートＢの表側表示部Ｂ１が透視可能となるようにしている。
【００２１】
このような本考案の実施例に係るシート収納用透明ファイルＡによると、透明な取付面Ｃ側から透明な接着層２及び透明な背面部１ｂを挟んで表示シートＢを見ても、接着層２と取付面Ｃの間に空気層が発生せず面状に密着するため、表示部Ｂ１の一部が部分的に光反射することになく表示部Ｂ２の全てが透視可能になる。
したがって、透明な取付面Ｃの外側から内側に貼り付けられた表示シートＢの表示部Ｂ２の全てを障害なく透視することができる。
その結果、ファイルの外縁部（一部）に接着部材（両面テープや接着剤や吸盤）が配置される従来のものに比べ、表示シートＢの表示部Ｂ１に記載された広告内容を屋外側から障害なく見ることができるという利点がある。
さらに、図示例のように、表側表示部Ｂ１と裏側表示部Ｂ２を表裏両面に有する表示シートＢが支承部１ａに支えられる場合には、表示シートＢの外向きと内向きの両面を確実に広告方法として活用できて有効であるという利点がある。
【００２２】
なお、前示実施例では、透明な取付面Ｃの外側から表示シートＢの裏側表示部Ｂ２を透視可能にしたが、これに限定されず、不透明な取付面Ｃに対し、表側表示部Ｂ１を有する表示シートＢが支承部１ａに支えられたファイル本体１を接着層２の接着面２ａで貼り付けて、取付面Ｃの内側において透明な支承部１ａを透過して表示シートＢの表側表示部Ｂ１が透視可能となるようにしてもよい。
さらに、図示例では、表側表示部Ｂ１と裏側表示部Ｂ２を表裏両面に有する表示シートＢが支承部１ａで支えられ、透明な支承部１ａを透過して表示シートＢの表側表示部Ｂ１が透視可能となるようにしているが、これに限定されず、裏側表示部Ｂ２のみを有する表示シートＢを用いて、取付面Ｃの内側では白紙面又は有色面などが透明な支承部１ａを透過して見えるようにしても良い。
【符号の説明】
【００２３】
Ａ  シート収納用透明ファイル            １  ファイル本体
１ａ  支承部                            １ｂ  背面部
２  接着層                              ２ａ  接着面
Ｂ  表示シート                          Ｂ２  表示部（裏側表示部）
Ｃ  取付面
【図１】
0003193557.tif 000003
【図２】
0003193557.tif 000004